(57)【要約】【課題】最適化に必要な測定結果を十分に得ることができるようにする。【解決手段】１又は複数のセルによりトラッキングエリアが構成される移動通信システムにおいて、ＭＤＴに使用する無線端末を選択するための端末選択方法は、保守監視装置ＯＡＭが、在圏するセル又は在圏するトラッキングエリアを無線端末ＵＥが切り替える頻度を示す移動頻度情報を取得するステップと、保守監視装置ＯＡＭが、取得するステップで取得した移動頻度情報に基づいて、無線端末ＵＥをＭＤＴに使用するか否かを決定するステップとを備える。【選択図】図４
2012070271.tif 000002
【特許請求の範囲】
【請求項１】
１又は複数のセルによりトラッキングエリアが構成される移動通信システムにおいて、ＭＤＴに使用する無線端末を選択するための端末選択方法であって、
ネットワーク装置が、在圏するセル又は在圏するトラッキングエリアを無線端末が切り替える頻度を示す移動頻度情報を取得するステップと、
前記ネットワーク装置が、前記取得するステップで取得した前記移動頻度情報に基づいて、前記無線端末をＭＤＴに使用するか否かを決定するステップと
を備える端末選択方法。
【請求項２】
前記無線端末又は位置登録サーバが、前記移動頻度情報を含むメッセージを送信するステップと、
前記ネットワーク装置が、前記メッセージを受信するステップと
をさらに備え、
前記取得するステップでは、前記受信するステップで受信した前記メッセージに含まれる前記移動頻度情報を取得する請求項１に記載の端末選択方法。
【請求項３】
前記無線端末又は位置登録サーバが、前記移動頻度情報の生成に使用される生成用情報を含むメッセージを送信するステップと、
前記ネットワーク装置が、前記メッセージを受信するステップと
をさらに備え、
前記取得するステップでは、前記受信するステップで受信した前記メッセージに含まれる前記生成用情報から前記移動頻度情報を取得する請求項１に記載の端末選択方法。
【請求項４】
前記決定するステップでは、前記移動頻度情報によって示される頻度が所定の度合いよりも低い場合には、前記無線端末をＭＤＴに使用しないと決定する請求項１〜３の何れか一項に記載の端末選択方法。
【請求項５】
前記取得するステップでは、時間帯毎の前記移動頻度情報を取得し、
前記決定するステップでは、時間帯毎の前記移動頻度情報に基づいて、前記無線端末をＭＤＴに使用するか否かを決定する請求項１〜４の何れか一項に記載の端末選択方法。
【請求項６】
前記ネットワーク装置が、前記決定するステップで前記無線端末をＭＤＴに使用すると決定した場合に、ＭＤＴの測定構成を設定するための情報を前記無線端末に送信するステップをさらに備える請求項１〜５の何れか一項に記載の端末選択方法。
【請求項７】
１又は複数のセルによりトラッキングエリアが構成される移動通信システムにおいて、ＭＤＴに使用する無線端末を選択可能なネットワーク装置であって、
在圏するセル又は在圏するトラッキングエリアを無線端末が切り替える頻度を示す移動頻度情報を取得する取得部と、
前記取得部によって取得された前記移動頻度情報に基づいて、前記無線端末をＭＤＴに使用するか否かを決定する決定部と
を備えるネットワーク装置。
【請求項８】
１又は複数のセルによりトラッキングエリアが構成される移動通信システムにおいて、ＭＤＴに使用可能な無線端末であって、
在圏するセル又は在圏するトラッキングエリアを切り替える頻度を示す移動頻度情報、又は前記移動頻度情報の生成に使用される生成用情報を含むメッセージを無線基地局に送信する送信部を備える無線端末。
【発明の詳細な説明】
【技術分野】
【０００１】
本発明は、ＭＤＴに使用する無線端末を選択するための端末選択方法、ネットワーク装置、及び無線端末に関する。
【背景技術】
【０００２】
移動通信システムでは、無線基地局の周辺にビルが建設されたり、当該無線基地局の周辺基地局の設置状況が変化したりすると、当該無線基地局に係る無線環境が変化する。このため、従来では、オペレータにより、測定機材を搭載した測定用車両を使用し、無線環境を測定して測定結果及び位置情報を収集するドライブテストが行われている。
【０００３】
このような測定及び収集は、例えば無線基地局のカバレッジの最適化に貢献できるが、工数が多く、且つ費用が高いという課題がある。そこで、移動通信システムの標準化プロジェクトである３ＧＰＰ（3rd Generation Partnership Project）では、ユーザが所持する無線端末を使用して、当該測定及び収集を自動化する技術であるＭＤＴ（Minimization of Drive Test）の仕様策定が進められている（非特許文献１及び２参照）。
【先行技術文献】
【非特許文献】
【０００４】
【非特許文献１】3GPP TR 36.805 V9.0.0 “Study on Minimization of drive-tests in Next Generation Networks”, 2009-12
【非特許文献２】3GPP TS 37.320 v0.7.0, “Radio measurement collection for Minimization of Drive Tests (MDT)”, 2010-07
【発明の概要】
【発明が解決しようとする課題】
【０００５】
ところで、ＭＤＴに使用する無線端末を選択する端末選択方法としては、ネットワーク装置（例えば保守監視装置又は無線基地局）が、無線端末の能力を示す情報を取得し、当該能力を示す情報に基づいて当該無線端末をＭＤＴに使用するか否かを決定することが想定されている。
【０００６】
しかしながら、当該方法では、ＭＤＴに使用する無線端末として、移動する頻度の低い無線端末を選択してしまう可能性がある。そのような無線端末をＭＤＴに使用しても、当該無線端末からは同様の位置での測定結果しか得られない。
【０００７】
従って、無線端末の能力を示す情報に基づいて当該無線端末をＭＤＴに使用するか否かを決定する端末選択方法は、広範囲に渡る測定結果を得ることができず、最適化に必要な測定結果が十分に得られない虞がある。
【０００８】
そこで、本発明は、最適化に必要な測定結果を十分に得ることができる端末選択方法、ネットワーク装置、及び無線端末を提供することを目的とする。
【課題を解決するための手段】
【０００９】
上述した課題を解決するために、本発明は以下のような特徴を有している。まず、本発明に係る端末選択方法の特徴は、１又は複数のセルによりトラッキングエリアが構成される移動通信システム（移動通信システム１）において、ＭＤＴに使用する無線端末を選択するための端末選択方法であって、ネットワーク装置（保守監視装置ＯＡＭ又は無線基地局ｅＮＢ）が、在圏するセル又は在圏するトラッキングエリアを無線端末（無線端末ＵＥ）が切り替える頻度を示す移動頻度情報を取得するステップと、前記ネットワーク装置が、前記取得するステップで取得した前記移動頻度情報に基づいて、前記無線端末をＭＤＴに使用するか否かを決定するステップとを備えることを要旨とする。
【００１０】
このような特徴によれば、在圏するセル又は在圏するトラッキングエリアを無線端末が切り替える頻度、すなわち無線端末の移動頻度に応じてＭＤＴに使用する無線端末を選択するため、広範囲に渡る測定結果を得ることができ、最適化に必要な測定結果を十分に得ることができる。
【００１１】
本発明に係る端末選択方法の他の特徴は、上記特徴に係る端末選択方法において、前記無線端末又は位置登録サーバ（ホーム・ロケーション・レジスタＨＬＲ）が、前記移動頻度情報を含むメッセージを送信するステップと、前記ネットワーク装置が、前記メッセージを受信するステップとをさらに備え、前記取得するステップでは、前記受信するステップで受信した前記メッセージに含まれる前記移動頻度情報を取得することを要旨とする。
【００１２】
本発明に係る端末選択方法の他の特徴は、上記特徴に係る端末選択方法において、前記無線端末又は位置登録サーバ（ホーム・ロケーション・レジスタＨＬＲ）が、前記移動頻度情報の生成に使用される生成用情報を含むメッセージを送信するステップと、前記ネットワーク装置が、前記メッセージを受信するステップとをさらに備え、前記取得するステップでは、前記受信するステップで受信した前記メッセージに含まれる前記生成用情報から前記移動頻度情報を取得することを要旨とする。
【００１３】
本発明に係る端末選択方法の他の特徴は、上記特徴に係る端末選択方法において、前記決定するステップでは、前記移動頻度情報によって示される頻度が所定の度合いよりも低い場合には、前記無線端末をＭＤＴに使用しないと決定することを要旨とする。
【００１４】
本発明に係る端末選択方法の他の特徴は、上記特徴に係る端末選択方法において、前記取得するステップでは、時間帯毎の前記移動頻度情報を取得し、前記決定するステップでは、時間帯毎の前記移動頻度情報に基づいて、前記無線端末をＭＤＴに使用するか否かを決定することを要旨とする。
【００１５】
本発明に係る端末選択方法の他の特徴は、上記特徴に係る端末選択方法において、前記ネットワーク装置が、前記決定するステップで前記無線端末をＭＤＴに使用すると決定した場合に、ＭＤＴの測定構成を設定するための情報を前記無線端末に送信するステップをさらに備えることを要旨とする。
【００１６】
本発明に係るネットワーク装置の特徴は、１又は複数のセルによりトラッキングエリアが構成される移動通信システム（移動通信システム１）において、ＭＤＴに使用する無線端末を選択可能なネットワーク装置（保守監視装置ＯＡＭ又は無線基地局ｅＮＢ）であって、在圏するセル又は在圏するトラッキングエリアを無線端末（無線端末ＵＥ）が切り替える頻度を示す移動頻度情報を取得する取得部（移動頻度情報取得部３３１又は１４１）と、前記取得部によって取得された前記移動頻度情報に基づいて、前記無線端末をＭＤＴに使用するか否かを決定する決定部（ＭＤＴ使用端末決定部３３２又は１４２）とを備えることを要旨とする。
【００１７】
本発明に係る無線端末の特徴は、１又は複数のセルによりトラッキングエリアが構成される移動通信システム（移動通信システム１）において、ＭＤＴに使用可能な無線端末（無線端末ＵＥ）であって、在圏するセル又は在圏するトラッキングエリアを切り替える頻度を示す移動頻度情報、又は前記移動頻度情報の生成に使用される生成用情報を含むメッセージを無線基地局に送信する送信部（無線通信部２１０）を備えることを要旨とする。
【発明の効果】
【００１８】
本発明によれば、最適化に必要な測定結果を十分に得ることができる端末選択方法、ネットワーク装置、及び無線端末を提供できる。
【図面の簡単な説明】
【００１９】
【図１】第１実施形態〜第３実施形態に係る移動通信システムの全体概略構成を示す図である。
【図２】第１実施形態に係る無線端末の構成を示すブロック図である。
【図３】第１実施形態に係る保守監視装置の構成を示すブロック図である。
【図４】第１実施形態に係る端末選択方法を示すシーケンス図である。
【図５】第１実施形態の変更例２に係る端末選択方法を示すシーケンス図である。
【図６】第１実施形態の変更例３に係る端末選択方法を示すシーケンス図である。
【図７】第２実施形態に係る端末選択方法を示すシーケンス図である。
【図８】第３実施形態に係る無線基地局の構成を示すブロック図である。
【図９】第３実施形態に係る端末選択方法を示すシーケンス図である。
【図１０】第３実施形態の変更例２に係る端末選択方法を示すシーケンス図である。
【図１１】第３実施形態の変更例３に係る端末選択方法を示すシーケンス図である。
【発明を実施するための形態】
【００２０】
図面を参照して、本発明の第１実施形態〜第３実施形態、及びその他の実施形態を説明する。以下の各実施形態における図面において、同一又は類似の部分には同一又は類似の符号を付す。
【００２１】
以下においては、３ＧＰＰで仕様が策定されているＬＴＥ（Long Term Evolution）−Ａｄｖａｎｃｅｄに基づいて構成される移動通信システムを主として説明するが、Ｗ−ＣＤＭＡ（Wideband Code Division Multiple Access）に基づいて構成される移動通信システム等についても本発明を適用できることに留意されたい。
【００２２】
各実施形態に係る端末選択方法は、１又は複数のセルによりトラッキングエリアが構成される移動通信システムにおいて、ＭＤＴに使用する無線端末ＵＥを選択するための端末選択方法であって、ネットワーク装置（保守監視装置ＯＡＭ又は無線基地局ｅＮＢ）が、在圏するセル又は在圏するトラッキングエリアを無線端末ＵＥが切り替える頻度を示す移動頻度情報を取得するステップと、ネットワーク装置（保守監視装置ＯＡＭ又は無線基地局ｅＮＢ）が、取得するステップで取得した移動頻度情報に基づいて、当該無線端末ＵＥをＭＤＴに使用するか否かを決定するステップとを備える。
【００２３】
（１）第１実施形態
以下、第１実施形態について、（１．１）全体概略構成、（１．２）無線端末の構成、（１．３）保守監視装置の構成、（１．４）端末選択方法、（１．５）第１実施形態の効果、（１．６）第１実施形態の変更例１、（１．７）第１実施形態の変更例２、（１．８）第１実施形態の変更例３の順に説明する。
【００２４】
（１．１）全体概略構成
図１は、第１実施形態に係る移動通信システム１の全体概略構成を示す図である。
【００２５】
図１に示すように、移動通信システム１は、無線端末ＵＥ（User Equipment）、複数の無線基地局ｅＮＢ（evolved Node-B）、保守監視装置ＯＡＭ（Operation and Maintenance）、複数の移動管理装置ＭＭＥ（Mobility Management Entity）／ゲートウェイ装置Ｓ−ＧＷ（Serving Gateway）、及びホーム・ロケーション・レジスタＨＬＲを有する。なお、以下においては、Ｅ−ＵＴＲＡＮ、保守監視装置ＯＡＭ、及びホーム・ロケーション・レジスタＨＬＲを併せて適宜「ネットワーク」と称する。
【００２６】
複数の無線基地局は、無線アクセスネットワークであるＥ−ＵＴＲＡＮ（Evolved-UMTS Terrestrial Radio Access  Network）を構成する。複数の無線基地局ｅＮＢのそれぞれは、無線端末ＵＥにサービスを提供すべき通信エリアであるセルを形成する。無線端末ＵＥは、ユーザが所持する無線通信装置であり、ユーザ装置とも称される。
【００２７】
１又は複数のセルによってトラッキングエリアが構成される。ホーム・ロケーション・レジスタＨＬＲは、トラッキングエリアの単位で無線端末ＵＥの位置を管理する。無線端末ＵＥは、トラッキングエリアの境界を越える際、すなわち、異なるトラッキングエリア識別子を有するトラッキングエリアに移動する際に、トラッキングエリアの更新をネットワークに通知する。このようにして無線端末ＵＥの位置をトラッキングエリア単位で管理することによって、呼接続するためのページングメッセージをトラッキングエリアの単位で送信できる。
【００２８】
隣接する各無線基地局ｅＮＢは、基地局間通信を提供する論理的な通信路であるＸ２インターフェースを介して互いに通信可能である。複数の無線基地局ｅＮＢのそれぞれは、Ｓ１インターフェースを介して、ＥＰＣ（Evolved Packet Core）、具体的には、ＭＭＥ（Mobility Management Entity）／Ｓ−ＧＷ（Serving Gateway）と通信可能である。また、各無線基地局ｅＮＢは、オペレータによって運営される保守監視装置ＯＡＭと通信可能である。
【００２９】
移動通信システム１は、ＭＤＴをサポートする。ＭＤＴにおいては、即座報告型（Immediate MDTと称される）と、記録型（Logged MDTと称する）とが定義されている。Immediate MDTは、コネクテッド状態（すなわち通信実行中）の無線端末が、無線環境の測定を行い、測定結果及び位置情報をネットワークに報告するものである。Logged MDTは、例えばアイドル状態（すなわち待ち受け中）の無線端末が、設定された条件を満たすときに無線環境の測定を行い、測定結果、位置情報、及びタイムスタンプを含むログデータを後でネットワークに報告するために保持するものである。なお、現状の仕様では、Logged MDTは、アイドル状態の無線端末ＵＥが実行すると規定されている。
【００３０】
（１．２）無線端末の構成
図２は、第１実施形態に係る無線端末ＵＥの構成を示すブロック図である。
【００３１】
図２に示すように、無線端末ＵＥは、アンテナ２０１、無線通信部２１０、ユーザインターフェイス部２２０、ＧＰＳ受信機２３０、バッテリ２４０、記憶部２５０、及び制御部２６０を有する。ただし、無線端末ＵＥは、ＧＰＳ受信機２３０を有していなくてもよい。
【００３２】
アンテナ２０１は、無線信号の送受信に用いられる。無線通信部２１０は、例えば無線周波数（ＲＦ）回路やベースバンド（ＢＢ）回路等を用いて構成され、アンテナ２０１を介して無線信号を送受信する。また、無線通信部２１０は、送信信号の変調と受信信号の復調とを行う。ユーザインターフェイス部２２０は、ユーザとのインターフェイスとして機能するディスプレイやボタン等である。バッテリ２４０は、無線端末ＵＥの各ブロックに供給される電力を蓄える。記憶部２５０は、例えばメモリを用いて構成され、無線端末ＵＥの制御等に用いられる各種の情報を記憶する。制御部２６０は、例えばＣＰＵを用いて構成され、無線端末ＵＥが備える各種の機能を制御する。
【００３３】
制御部２６０は、移動状態管理部２６１、情報生成部２６２、及びＭＤＴ処理部２６３を有する。
【００３４】
移動状態管理部２６１は、自端末の移動状態を管理する。具体的には、移動状態管理部２６１は、自端末が在圏するセルを切り替えた際の時刻（以下、セル切り替え時刻）を記録及び管理する。あるいは、移動状態管理部２６１は、所定時間を計時するタイマを起動した後に、自端末が在圏するセルを切り替えた回数をカウントし、当該タイマが満了するとカウントを中止する。なお、無線端末ＵＥがアイドル状態において在圏するセルを切り替える処理はセル再選択と称され、無線端末ＵＥがコネクテッド状態において在圏するセルを切り替える処理はハンドオーバと称される。
【００３５】
情報生成部２６２は、ネットワークからの要求があった場合に、移動状態管理部２６１が管理する情報を用いて、在圏するセルを自端末が切り替える頻度を示す移動頻度情報を生成する。在圏するセルを自端末が切り替える頻度とは、例えば、１日当たりのセル切り替え回数、すなわち、１日当たりのセル再選択及びハンドオーバセルの回数である。移動状態管理部２６１がセル切り替え時刻を管理している場合、情報生成部２６２は、１日分に相当するセル切り替え時刻から１日当たりのセル切り替え回数を求め、当該セル切り替え回数又はそのインデックスを移動頻度情報として生成する。一方、移動状態管理部２６１がタイマに応じてセル切り替え回数をカウントしている場合、情報生成部２６２は、１日分に相当するタイマ期間中のセル切り替え回数を求め、当該セル切り替え回数又はそのインデックスを移動頻度情報として生成する。
【００３６】
情報生成部２６２は、生成した移動頻度情報と、自端末を識別する端末識別子とを含むUE MDT_Information Reportメッセージを無線通信部２１０に出力する。無線通信部２１０は、当該UE MDT_Information Reportメッセージを無線基地局ｅＮＢに送信する。
【００３７】
ＭＤＴ処理部２６３は、ＭＤＴでの測定パラメータからなる測定構成を含むMDT Configurationメッセージを無線通信部２１０が受信した場合に、当該MDT Configurationメッセージに含まれる測定構成を自端末に設定し、設定した測定構成に従って無線環境の測定を行い、測定結果、位置情報、及びタイムスタンプを含むＭＤＴデータを記録する。ＭＤＴ処理部２６３は、アイドル状態からコネクテッド状態に移行した後、ネットワークからの要求に応じて、記録したＭＤＴデータをネットワークに報告する。
【００３８】
なお、Logged MDTにおいては、測定構成は、測定対象（measurements to be logged）、測定トリガ（triggering of logging event）、測定時間（total duration of logging）、絶対時間（network absolute time stamp）、及び測定エリア（measurements area）を含む。ただし、測定エリア（measurements area）は、測定構成に含まれなくてもよい。測定対象は、例えば測定を行うべき周波数帯であり、ＭＤＴ処理部２６３は、測定対象の周波数帯について参照信号受信電力（ＲＳＲＰ）及び参照信号受信品質（ＲＳＲＱ）を測定する。測定トリガは、例えば周期的な下りリンクパイロット信号強度測定トリガであり、この領域で測定間隔を設定可能である。無線端末ＵＥは、設定された測定間隔に対応するタイマが満了する際に測定を行う。位置情報は、サービングセルのＥＣＧＩ（E-UTRAN Cell Global Identifier）を含む。また、無線端末ＵＥが測位機能を有している場合、位置情報は、ＧＮＳＳ（Global Navigation Satellite System）位置情報をさらに含む。一方、無線端末ＵＥが測位機能を有していない場合、位置情報は、隣接セルからの受信状態に関するＲＦ（Radio frequency）フィンガープリントをさらに含む。
【００３９】
（１．３）保守監視装置の構成
図３は、第１実施形態に係る保守監視装置ＯＡＭの構成を示すブロック図である。
【００４０】
図３に示すように、保守監視装置ＯＡＭは、ネットワーク通信部３１０、記憶部３２０、及び制御部３３０を有する。
【００４１】
ネットワーク通信部３１０は、無線基地局ｅＮＢ及びホーム・ロケーション・レジスタＨＬＲとの通信を行う。記憶部３２０は、例えばメモリを用いて構成され、保守監視装置ＯＡＭの制御等に用いられる各種の情報を記憶する。制御部３３０は、例えばＣＰＵを用いて構成され、保守監視装置ＯＡＭが備える各種の機能を制御する。
【００４２】
制御部３３０は、移動頻度情報取得部３３１、ＭＤＴ使用端末決定部３３２、及びＭＤＴ制御部３３３を有する。
【００４３】
移動頻度情報取得部３３１は、ＭＤＴの開始が決定されると、移動頻度情報を取得するためのUE MDT_Information Requestメッセージを無線基地局ｅＮＢに送信するようネットワーク通信部３１０を制御する。UE MDT_Information Requestメッセージの送信後、ネットワーク通信部３１０がUE MDT_Information Reportメッセージを受信すると、移動頻度情報取得部３３１は、受信されたUE MDT_Information Reportメッセージに含まれる移動頻度情報及び端末識別子を取得する。
【００４４】
ＭＤＴ使用端末決定部３３２は、移動頻度情報取得部３３１によって取得された移動頻度情報に基づいて、端末識別子によって示される、UE MDT_Information Reportメッセージの送信元の無線端末ＵＥをＭＤＴに使用するか否かを決定する。具体的な例としては、カバレッジマップを作成するといったケースでは、ＭＤＴ使用端末決定部３３２は、移動頻度情報によって示される頻度が所定の度合いよりも低い場合には、当該無線端末ＵＥをＭＤＴに使用しないと決定し、移動頻度情報によって示される頻度が所定の度合い以上である場合には、当該無線端末ＵＥをＭＤＴに使用すると決定する。例えば、ＭＤＴ使用端末決定部３３２は、１日当たりのセル切り替え回数がＮ回未満である無線端末ＵＥについてはＭＤＴに使用しないと決定し、１日当たりのセル切り替え回数がＮ回以上である無線端末ＵＥについてはＭＤＴに使用すると決定する。
【００４５】
ＭＤＴ制御部３３３は、ＭＤＴに使用すると決定した無線端末ＵＥの接続先の無線基地局ｅＮＢ（すなわちUE MDT_Information Reportメッセージを転送した無線基地局ｅＮＢ）に対し、測定構成を指定してMDT Configurationメッセージの送信要求を送信する。当該送信要求は、上記端末識別子を含む。また、ＭＤＴ制御部３３３は、無線基地局ｅＮＢを介して無線端末ＵＥからＭＤＴデータ（測定結果や位置情報）が報告されると、報告されたＭＤＴデータを蓄積する。蓄積されたＭＤＴデータは、例えばＥ−ＵＴＲＡＮの最適化に使用される。
【００４６】
（１．４）端末選択方法
図４は、第１実施形態に係る端末選択方法を示すシーケンス図である。第１実施形態に係る端末選択方法では、無線端末ＵＥが、移動頻度情報を含むメッセージを送信するステップと、保守監視装置ＯＡＭ（ネットワーク装置）が、移動頻度情報を含むメッセージを受信するステップと、保守監視装置ＯＡＭ（ネットワーク装置）が、受信するステップで受信したメッセージに含まれる移動頻度情報を取得するステップとを備える。
【００４７】
図４に示すように、ステップＳ１０１において、保守監視装置ＯＡＭは、ＭＤＴの開始が決定されると、移動頻度情報を取得するためのUE MDT_Information Requestメッセージを、Ｅ−ＵＴＲＡＮを構成する少なくとも１つの無線基地局ｅＮＢに送信する。無線基地局ｅＮＢは、UE MDT_Information Requestメッセージを受信する。
【００４８】
ステップＳ１０２において、無線基地局ｅＮＢは、移動頻度情報を取得するためのUE MDT_Information Requestメッセージを、自局に接続中の無線端末ＵＥに送信する。無線端末ＵＥは、UE MDT_Information Requestメッセージを受信する。
【００４９】
ステップＳ１０３において、無線端末ＵＥは、移動頻度情報を生成する。
【００５０】
ステップＳ１０４において、無線端末ＵＥは、生成した移動頻度情報と、自端末を識別する端末識別子とを含むUE MDT_Information Reportメッセージを無線基地局ｅＮＢに送信する。無線基地局ｅＮＢは、UE MDT_Information Reportメッセージを受信する。
【００５１】
ステップＳ１０５において、無線基地局ｅＮＢは、無線端末ＵＥから受信したUE MDT_Information Reportメッセージを保守監視装置ＯＡＭに転送する。保守監視装置ＯＡＭは、UE MDT_Information Reportメッセージを受信する。
【００５２】
ステップＳ１０６において、保守監視装置ＯＡＭは、受信したUE MDT_Information Reportメッセージに含まれる移動頻度情報及び端末識別子を取得し、取得した移動頻度情報に基づいて、端末識別子によって示される、UE MDT_Information Reportメッセージの送信元の無線端末ＵＥをＭＤＴに使用するか否かを決定する。
【００５３】
当該無線端末ＵＥをＭＤＴに使用すると決定した場合、ステップＳ１０７において、保守監視装置ＯＡＭは、UE MDT_Information Reportメッセージを転送した無線基地局ｅＮＢに対し、MDT Configurationメッセージの送信要求を送信する。当該送信要求は、上記端末識別子と測定構成とを含む。無線基地局ｅＮＢは、MDT Configurationメッセージの送信要求を受信する。
【００５４】
ステップＳ１０８において、無線基地局ｅＮＢは、受信した送信要求に従ってMDT Configurationメッセージを無線端末ＵＥに送信する。無線端末ＵＥは、MDT Configurationメッセージを受信すると、MDT Configurationメッセージに含まれる測定構成を自端末に設定し、ＭＤＴでの測定処理を開始する。
【００５５】
（１．５）第１実施形態の効果
以上説明したように、第１実施形態に係る保守監視装置ＯＡＭは、在圏するセルを無線端末ＵＥが切り替える頻度、すなわち無線端末ＵＥの移動頻度の情報を無線端末ＵＥから取得し、取得した移動頻度情報に応じてＭＤＴに使用する無線端末を選択するため、広範囲に渡る測定結果を得ることができ、最適化に必要な測定結果を十分に得ることができる。
【００５６】
（１．６）第１実施形態の変更例１
上述した第１実施形態では、無線端末ＵＥは、在圏するセルを自端末が切り替える頻度を示す移動頻度情報を生成していた。しかしながら、無線端末ＵＥは、在圏するトラッキングエリアを自端末が切り替える頻度を示す移動頻度情報を生成してもよい。上述したように、トラッキングエリアの切り替わりを無線端末ＵＥは把握しており、第１実施形態における「セル」を「トラッキングエリア」と読み替えても第１実施形態と同様の効果を得ることができる。
【００５７】
（１．７）第１実施形態の変更例２
上述した第１実施形態では、保守監視装置ＯＡＭ及び無線基地局ｅＮＢは、移動頻度情報を取得するためのUE MDT_Information Requestメッセージを無線端末ＵＥに送信し、無線端末ＵＥは、UE MDT_Information Requestメッセージの受信に応答してUE MDT_Information Reportメッセージを無線基地局ｅＮＢに送信していた。しかしながら、MDT Configurationメッセージの送信に先立つネゴシエーションの過程で、UE MDT_Information Reportメッセージを無線端末ＵＥが無線基地局ｅＮＢに送信してもよい。
【００５８】
図５は、本変更例に係る端末選択方法を示すシーケンス図である。
【００５９】
ステップＳ２０１において、保守監視装置ＯＡＭは、無線端末ＵＥに測定構成を設定すると決定すると、無線端末ＵＥとのネゴシエーションを行うためのMDT Configuration Negotiationメッセージを無線基地局ｅＮＢに送信する。無線基地局ｅＮＢは、MDT Configuration Negotiationメッセージを受信する。
【００６０】
ステップＳ２０２において、無線基地局ｅＮＢは、MDT Configuration Negotiationメッセージを無線端末ＵＥに送信する。無線端末ＵＥは、MDT Configuration Negotiationメッセージを受信する。
【００６１】
ステップＳ２０３において、無線端末ＵＥは、移動頻度情報を生成する。
【００６２】
ステップＳ２０４において、無線端末ＵＥは、生成した移動頻度情報と、自端末を識別する端末識別子とを含むUE MDT_Information Reportメッセージを無線基地局ｅＮＢに送信する。無線基地局ｅＮＢは、UE MDT_Information Reportメッセージを受信する。以降の処理は、第１実施形態と同様である。
【００６３】
（１．８）第１実施形態の変更例３
上述した第１実施形態では、ネットワークが１つの無線端末ＵＥからUE MDT_Information Reportメッセージを受信するケースを説明したが、複数の無線端末ＵＥから一斉にUE MDT_Information Reportメッセージを受信してもよい。
【００６４】
図６は、本変更例に係る端末選択方法を示すシーケンス図である。
【００６５】
ステップＳ３０１において、保守監視装置ＯＡＭは、ＭＤＴの開始が決定されると、移動頻度情報を取得するためのUE MDT_Information Requestメッセージを、Ｅ−ＵＴＲＡＮを構成する複数の無線基地局ｅＮＢに送信する。複数の無線基地局ｅＮＢのそれぞれは、UE MDT_Information Requestメッセージを受信する。
【００６６】
ステップＳ３０２において、複数の無線基地局ｅＮＢのそれぞれは、移動頻度情報を取得するためのUE MDT_Information Requestメッセージを、自局に接続する無線端末ＵＥに送信する。複数の無線端末ＵＥのそれぞれは、UE MDT_Information Requestメッセージを受信する。
【００６７】
ステップＳ３０３において、複数の無線端末ＵＥのそれぞれは、移動頻度情報を生成する。
【００６８】
ステップＳ３０４において、複数の無線端末ＵＥのそれぞれは、生成した移動頻度情報と、自端末を識別する端末識別子とを含むUE MDT_Information Reportメッセージを無線基地局ｅＮＢに送信する。複数の無線基地局ｅＮＢのそれぞれは、UE MDT_Information Reportメッセージを受信する。
【００６９】
ステップＳ３０５において、複数の無線基地局ｅＮＢのそれぞれは、無線端末ＵＥから受信したUE MDT_Information Reportメッセージを保守監視装置ＯＡＭに転送する。保守監視装置ＯＡＭは、UE MDT_Information Reportメッセージを受信する。
【００７０】
ステップＳ３０６において、保守監視装置ＯＡＭは、受信したUE MDT_Information Reportメッセージのそれぞれに含まれる移動頻度情報及び端末識別子を取得し、取得した移動頻度情報に基づいて、端末識別子によって示される、UE MDT_Information Reportメッセージの送信元の無線端末ＵＥをＭＤＴに使用するか否かを決定する。ここでは、第１実施形態で説明した方法以外にも、複数の無線端末ＵＥの相対比較によって、ＭＤＴに使用する無線端末ＵＥを決定してもよい。具体的には、保守監視装置ＯＡＭは、複数の無線端末ＵＥのうち、移動頻度の上位所定数（例えば最上位）の無線端末ＵＥをＭＤＴに使用すると決定する。このような方法により、少なくとも１つの無線端末ＵＥを、ＭＤＴに使用する無線端末ＵＥとして決定することができる。
【００７１】
ステップＳ３０７において、保守監視装置ＯＡＭは、ＭＤＴに使用する無線端末ＵＥに対応するUE MDT_Information Reportメッセージを転送した無線基地局ｅＮＢに対し、MDT Configurationメッセージの送信要求を送信する。当該送信要求は、ＭＤＴに使用する無線端末ＵＥの端末識別子と、測定構成とを含む。無線基地局ｅＮＢは、MDT Configurationメッセージの送信要求を受信する。
【００７２】
ステップＳ３０８において、無線基地局ｅＮＢは、受信した送信要求に従ってMDT Configurationメッセージを無線端末ＵＥに送信する。無線端末ＵＥは、MDT Configurationメッセージを受信すると、MDT Configurationメッセージに含まれる測定構成を自端末に設定し、ＭＤＴでの測定処理を開始する。
【００７３】
（２）第２実施形態
第２実施形態に係る端末選択方法では、位置登録サーバ（ホーム・ロケーション・レジスタＨＬＲ）が、移動頻度情報又は生成用情報を含むメッセージを送信するステップと、保守監視装置ＯＡＭ（ネットワーク装置）が、移動頻度情報又は生成用情報を含むメッセージを受信するステップと、保守監視装置ＯＡＭ（ネットワーク装置）が、受信するステップで受信したメッセージから移動頻度情報を取得するステップとを備える。
【００７４】
第２実施形態では、第１実施形態との相違点を主として説明する。以下、第２実施形態について、（２．１）保守監視装置の構成、（２．２）端末選択方法、（２．３）第２実施形態の効果の順に説明する。
【００７５】
（２．１）保守監視装置の構成
再び図３を参照し、第２実施形態に係る保守監視装置ＯＡＭの構成について、第１実施形態との相違点を説明する。
【００７６】
移動頻度情報取得部３３１は、ＭＤＴの開始が決定されると、移動頻度情報、又は移動頻度情報の生成に使用される生成用情報を取得するための送信要求メッセージをホーム・ロケーション・レジスタＨＬＲに送信するようネットワーク通信部３１０を制御する。
【００７７】
ここで、ホーム・ロケーション・レジスタＨＬＲは、トラッキングエリアの切り替わり時刻を無線端末ＵＥ毎（端末識別子毎）に管理することも可能である。このため、ホーム・ロケーション・レジスタＨＬＲは、送信要求メッセージを受信すると、生成用情報としてのトラッキングエリア切り替わり時刻のリストと、端末識別子とを含む応答メッセージを保守監視装置ＯＡＭに送信する。あるいは、ホーム・ロケーション・レジスタＨＬＲは、送信要求メッセージを受信すると、トラッキングエリアの切り替わり時刻のリストから、在圏するトラッキングエリアを無線端末ＵＥが切り替える頻度を示す移動頻度情報を生成し、移動頻度情報及び端末識別子を含む応答メッセージを保守監視装置ＯＡＭに送信してもよい。
【００７８】
送信要求メッセージの送信後、ネットワーク通信部３１０が移動頻度情報又は生成用情報を含む応答メッセージを受信すると、移動頻度情報取得部３３１は、受信された応答メッセージに含まれる移動頻度情報又は生成用情報と、端末識別子とを取得する。移動頻度情報取得部３３１は、生成用情報を取得した場合には、生成用情報から移動頻度情報を生成して取得する。
【００７９】
ＭＤＴ使用端末決定部３３２は、移動頻度情報取得部３３１によって取得された移動頻度情報に基づいて、端末識別子によって示される無線端末ＵＥをＭＤＴに使用するか否かを決定する。具体的な例としては、カバレッジマップを作成するといったケースでは、ＭＤＴ使用端末決定部３３２は、移動頻度情報によって示される頻度が所定の度合いよりも低い場合には、当該無線端末ＵＥをＭＤＴに使用しないと決定し、移動頻度情報によって示される頻度が所定の度合い以上である場合には、当該無線端末ＵＥをＭＤＴに使用すると決定する。例えば、ＭＤＴ使用端末決定部３３２は、１日当たりのトラッキングエリア切り替え回数がＮ回未満である無線端末ＵＥについてはＭＤＴに使用しないと決定し、１日当たりのトラッキングエリア切り替え回数がＮ回以上である無線端末ＵＥについてはＭＤＴに使用すると決定する。
【００８０】
ＭＤＴ制御部３３３は、ＭＤＴに使用すると決定した無線端末ＵＥの接続先の無線基地局ｅＮＢに対し、測定構成を指定してMDT Configurationメッセージの送信要求を送信する。当該送信要求は、上記端末識別子を含む。また、ＭＤＴ制御部３３３は、無線基地局ｅＮＢを介して無線端末ＵＥからＭＤＴデータ（測定結果や位置情報）が報告されると、報告されたＭＤＴデータを蓄積する。蓄積されたＭＤＴデータは、例えばＥ−ＵＴＲＡＮの最適化に使用される。
【００８１】
（２．２）端末選択方法
図７は、第２実施形態に係る端末選択方法を示すシーケンス図である。
【００８２】
ステップＳ４０１において、保守監視装置ＯＡＭは、ＭＤＴの開始が決定されると、送信要求メッセージをホーム・ロケーション・レジスタＨＬＲに送信する。ホーム・ロケーション・レジスタＨＬＲは、送信要求メッセージを受信する。
【００８３】
ステップＳ４０２において、ホーム・ロケーション・レジスタＨＬＲは、移動頻度情報又は生成用情報と、端末識別子とを含む応答メッセージを保守監視装置ＯＡＭに送信する。保守監視装置ＯＡＭは、応答メッセージを受信する。
【００８４】
ステップＳ４０３において、保守監視装置ＯＡＭは、受信した応答メッセージに含まれる移動頻度情報又は生成用情報と、端末識別子とを取得し、取得した移動頻度情報又は生成用情報に基づいて、端末識別子によって示される無線端末ＵＥをＭＤＴに使用するか否かを決定する。
【００８５】
当該無線端末ＵＥをＭＤＴに使用すると決定した場合、ステップＳ４０４において、保守監視装置ＯＡＭは、上記端末識別子によって示される無線端末ＵＥの接続先の無線基地局ｅＮＢに対し、MDT Configurationメッセージの送信要求を送信する。当該送信要求は、上記端末識別子と測定構成とを含む。無線基地局ｅＮＢは、MDT Configurationメッセージの送信要求を受信する。
【００８６】
ステップＳ４０５において、無線基地局ｅＮＢは、受信した送信要求に従ってMDT Configurationメッセージを無線端末ＵＥに送信する。無線端末ＵＥは、MDT Configurationメッセージを受信すると、MDT Configurationメッセージに含まれる測定構成を自端末に設定し、ＭＤＴでの測定処理を開始する。
【００８７】
（２．３）第２実施形態の効果
以上説明したように、第２実施形態に係る保守監視装置ＯＡＭは、在圏するトラッキングエリアを無線端末ＵＥが切り替える頻度、すなわち無線端末ＵＥの移動頻度の情報をホーム・ロケーション・レジスタＨＬＲから取得し、取得した移動頻度情報に応じてＭＤＴに使用する無線端末を選択するため、広範囲に渡る測定結果を得ることができ、最適化に必要な測定結果を十分に得ることができる。
【００８８】
（３）第３実施形態
上述した第１実施形態及び第２実施形態では、ＭＤＴに使用する無線端末ＵＥを保守監視装置ＯＡＭが選択していたが、第３実施形態では、ＭＤＴに使用する無線端末ＵＥを無線基地局ｅＮＢが選択する。第３実施形態に係る端末選択方法では、無線端末ＵＥが、移動頻度情報を含むメッセージを送信するステップと、無線基地局ｅＮＢ（ネットワーク装置）が、移動頻度情報を含むメッセージを受信するステップと、無線基地局ｅＮＢ（ネットワーク装置）が、受信するステップで受信したメッセージに含まれる移動頻度情報を取得するステップとを備える。
【００８９】
以下、第３実施形態について、（３．１）無線基地局の構成、（３．２）端末選択方法、（３．３）第３実施形態の効果、（３．４）第３実施形態の変更例１、（３．５）第３実施形態の変更例２、（３．６）第３実施形態の変更例３の順に説明する。
【００９０】
（３．１）無線基地局の構成
図８は、第３実施形態に係る無線基地局ｅＮＢの構成を示すブロック図である。
【００９１】
図８に示すように、無線基地局ｅＮＢは、アンテナ１０１、無線通信部１１０、ネットワーク通信部１２０、記憶部１３０、及び制御部１４０を有する。
【００９２】
アンテナ１０１は、無線信号の送受信に用いられる。無線通信部１１０は、例えば無線周波数（ＲＦ）回路やベースバンド（ＢＢ）回路等を用いて構成され、アンテナ１０１を介して無線信号を送受信する。また、無線通信部１１０は、送信信号の変調と受信信号の復調とを行う。ネットワーク通信部１２０は、他のネットワーク装置（保守監視装置ＯＡＭや他の無線基地局ｅＮＢ等）との通信を行う。記憶部１３０は、例えばメモリを用いて構成され、無線基地局ｅＮＢの制御等に用いられる各種の情報を記憶する。制御部１４０は、例えばＣＰＵを用いて構成され、無線基地局ｅＮＢが備える各種の機能を制御する。
【００９３】
制御部１４０は、移動頻度情報取得部１４１、ＭＤＴ使用端末決定部１４２、及びＭＤＴ制御部１４３を有する。
【００９４】
移動頻度情報取得部１４１は、ＭＤＴの開始が決定されると、移動頻度情報を取得するためのUE MDT_Information Requestメッセージを、自局に接続する無線端末ＵＥに送信するよう無線通信部１１０を制御する。UE MDT_Information Requestメッセージの送信後、無線通信部１１０がUE MDT_Information Reportメッセージを受信すると、移動頻度情報取得部１４１は、受信されたUE MDT_Information Reportメッセージに含まれる移動頻度情報及び端末識別子を取得する。
【００９５】
ＭＤＴ使用端末決定部１４２は、移動頻度情報取得部１４１によって取得された移動頻度情報に基づいて、端末識別子によって示される無線端末ＵＥをＭＤＴに使用するか否かを決定する。具体的な例としては、カバレッジマップを作成するといったケースでは、ＭＤＴ使用端末決定部１４２は、移動頻度情報によって示される頻度が所定の度合いよりも低い場合には、当該無線端末ＵＥをＭＤＴに使用しないと決定し、移動頻度情報によって示される頻度が所定の度合い以上である場合には、当該無線端末ＵＥをＭＤＴに使用すると決定する。例えば、ＭＤＴ使用端末決定部１４２は、１日当たりのセル切り替え回数がＮ回未満である無線端末ＵＥについてはＭＤＴに使用しないと決定し、１日当たりのセル切り替え回数がＮ回以上である無線端末ＵＥについてはＭＤＴに使用すると決定する。
【００９６】
ＭＤＴ制御部１４３は、ＭＤＴに使用すると決定した無線端末ＵＥに対し、測定構成を指定してMDT Configurationメッセージを送信する。ＭＤＴ制御部１４３は、無線端末ＵＥからのＭＤＴデータ（測定結果や位置情報）が報告されると、報告されたＭＤＴデータを蓄積する。蓄積されたＭＤＴデータは、例えばＥ−ＵＴＲＡＮの最適化に使用される。
【００９７】
（３．２）端末選択方法
図９は、第３実施形態に係る端末選択方法を示すシーケンス図である。
【００９８】
ステップＳ５０１において、無線基地局ｅＮＢは、ＭＤＴの開始が決定されると、移動頻度情報を取得するためのUE MDT_Information Requestメッセージを自局に接続中の無線端末ＵＥに送信する。無線端末ＵＥは、UE MDT_Information Requestメッセージを受信する。
【００９９】
ステップＳ５０２において、無線端末ＵＥは、移動頻度情報を生成する。
【０１００】
ステップＳ５０３において、無線端末ＵＥは、生成した移動頻度情報と、自端末を識別する端末識別子とを含むUE MDT_Information Reportメッセージを無線基地局ｅＮＢに送信する。無線基地局ｅＮＢは、UE MDT_Information Reportメッセージを受信する。
【０１０１】
ステップＳ５０４において、無線基地局ｅＮＢは、受信したUE MDT_Information Reportメッセージに含まれる移動頻度情報及び端末識別子を取得し、取得した移動頻度情報に基づいて、端末識別子によって示される無線端末ＵＥをＭＤＴに使用するか否かを決定する。
【０１０２】
当該無線端末ＵＥをＭＤＴに使用すると決定した場合、ステップＳ５０５において、無線基地局ｅＮＢは、MDT Configurationメッセージを無線端末ＵＥに送信する。無線端末ＵＥは、MDT Configurationメッセージを受信すると、MDT Configurationメッセージに含まれる測定構成を自端末に設定し、ＭＤＴでの測定処理を開始する。
【０１０３】
（３．３）第３実施形態の効果
以上説明したように、第３実施形態に係る無線基地局ｅＮＢは、在圏するセルを無線端末ＵＥが切り替える頻度、すなわち無線端末ＵＥの移動頻度の情報を無線端末ＵＥから取得し、取得した移動頻度情報に応じてＭＤＴに使用する無線端末を選択するため、広範囲に渡る測定結果を得ることができ、最適化に必要な測定結果を十分に得ることができる。
【０１０４】
（３．４）第３実施形態の変更例１
上述した第３実施形態では、無線端末ＵＥは、在圏するセルを自端末が切り替える頻度を示す移動頻度情報を生成していた。しかしながら、無線端末ＵＥは、在圏するトラッキングエリアを自端末が切り替える頻度を示す移動頻度情報を生成してもよい。上述したように、トラッキングエリアの切り替わりを無線端末ＵＥは把握しており、第３実施形態における「セル」を「トラッキングエリア」と読み替えても第３実施形態と同様の効果を得ることができる。
【０１０５】
（３．５）第３実施形態の変更例２
上述した第３実施形態では、無線基地局ｅＮＢは、移動頻度情報を取得するためのUE MDT_Information Requestメッセージを無線端末ＵＥに送信し、無線端末ＵＥは、UE MDT_Information Requestメッセージの受信に応答してUE MDT_Information Reportメッセージを無線基地局ｅＮＢに送信していた。しかしながら、MDT Configurationメッセージの送信に先立つネゴシエーションの過程で、UE MDT_Information Reportメッセージを無線端末ＵＥが無線基地局ｅＮＢに送信してもよい。
【０１０６】
図１０は、本変更例に係る端末選択方法を示すシーケンス図である。
【０１０７】
ステップＳ６０１において、無線基地局ｅＮＢは、無線端末ＵＥに測定構成を設定すると決定すると、無線端末ＵＥとのネゴシエーションを行うためのMDT Configuration Negotiationメッセージを無線端末ＵＥに送信する。無線端末ＵＥは、MDT Configuration Negotiationメッセージを受信する。
【０１０８】
ステップＳ６０２において、無線端末ＵＥは、移動頻度情報を生成する。
【０１０９】
ステップＳ６０３において、無線端末ＵＥは、生成した移動頻度情報と、自端末を識別する端末識別子とを含むUE MDT_Information Reportメッセージを無線基地局ｅＮＢに送信する。無線基地局ｅＮＢは、UE MDT_Information Reportメッセージを受信する。以降の処理は、第３実施形態と同様である。
【０１１０】
（３．６）第３実施形態の変更例３
上述した第３実施形態では、無線基地局ｅＮＢが１つの無線端末ＵＥからUE MDT_Information Reportメッセージを受信するケースを説明したが、複数の無線端末ＵＥから一斉にUE MDT_Information Reportメッセージを受信してもよい。
【０１１１】
図１１は、本変更例に係る端末選択方法を示すシーケンス図である。
【０１１２】
ステップＳ７０１において、無線基地局ｅＮＢは、ＭＤＴの開始が決定されると、移動頻度情報を取得するためのUE MDT_Information Requestメッセージを自局に接続する複数の無線端末ＵＥに送信する。複数の無線端末ＵＥのそれぞれは、UE MDT_Information Requestメッセージを受信する。
【０１１３】
ステップＳ７０２において、複数の無線端末ＵＥのそれぞれは、移動頻度情報を生成する。
【０１１４】
ステップＳ７０３において、複数の無線端末ＵＥのそれぞれは、生成した移動頻度情報と、自端末を識別する端末識別子とを含むUE MDT_Information Reportメッセージを無線基地局ｅＮＢに送信する。無線基地局ｅＮＢは、UE MDT_Information Reportメッセージを受信する。
【０１１５】
ステップＳ７０４において、無線基地局ｅＮＢは、受信したUE MDT_Information Reportメッセージのそれぞれに含まれる移動頻度情報及び端末識別子を取得し、取得した移動頻度情報に基づいて、端末識別子によって示される無線端末ＵＥをＭＤＴに使用するか否かを決定する。ここでは、第３実施形態で説明した方法以外にも、複数の無線端末ＵＥの相対比較によって、ＭＤＴに使用する無線端末ＵＥを決定してもよい。具体的には、無線基地局ｅＮＢは、複数の無線端末ＵＥのうち、移動頻度の上位所定数（例えば最上位）の無線端末ＵＥをＭＤＴに使用すると決定する。このような方法により、少なくとも１つの無線端末ＵＥを、ＭＤＴに使用する無線端末ＵＥとして決定することができる。
【０１１６】
ステップＳ７０５において、無線基地局ｅＮＢは、ＭＤＴに使用する無線端末ＵＥに対し、MDT Configurationメッセージを送信する。無線端末ＵＥは、MDT Configurationメッセージを受信すると、MDT Configurationメッセージに含まれる測定構成を自端末に設定し、ＭＤＴでの測定処理を開始する。
【０１１７】
（４）その他の実施形態
上記のように、本発明は各実施形態によって記載したが、この開示の一部をなす論述及び図面はこの発明を限定するものであると理解すべきではない。この開示から当業者には様々な代替実施形態、実施例及び運用技術が明らかとなる。
【０１１８】
例えば、上述した各実施形態及び各変更例は、別個独立に実施してもよく、相互に組み合わせて実施してもよい。また、上述した各実施形態及び各変更例では、ＭＤＴ専用のメッセージ（UE MDT_Information Requestメッセージ、UE MDT_Information Reportメッセージ）を用いる例を説明したが、これらのメッセージが他のメッセージに組み込まれていてもよい。
【０１１９】
上述した第１実施形態及び第３実施形態では、無線端末ＵＥが移動頻度情報を生成し、生成した移動頻度情報を含むUE MDT_Information Reportメッセージを無線端末ＵＥからネットワークに送信していた。しかしながら、無線端末ＵＥは、移動頻度情報の生成に使用される生成用情報を含むUE MDT_Information Reportメッセージをネットワークに送信してもよい。生成用情報とは、例えば、無線端末ＵＥのセル切り替え時刻のリストあるいはトラッキングエリア切り替え時刻のリストである。この場合、UE MDT_Information Reportメッセージを受信した保守監視装置ＯＡＭは、UE MDT_Information Reportメッセージに含まれる生成用情報から移動頻度情報を取得（生成）する。
【０１２０】
上述した各実施形態及び各変更例では、移動頻度情報として、１日当たりのセル切り替え回数あるいは１日当たりのトラッキングエリア切り替え回数を例示したが、より詳細な情報としてもよい。具体的には、朝の時間帯（例えば5:00-11:00）、昼の時間帯（例えば11:00-13:00）、夕方の時間帯（例えば13:00-18:00）、夜の時間帯（例えば18:00-23:00）、深夜の時間帯（例えば23:00-5:00）といったように細分化し、特定の時間帯でのセル切り替え回数あるいはトラッキングエリア切り替え回数の高い無線端末ＵＥをＭＤＴに使用するようにしてもよい。例えば、深夜の時間帯については、エナジーセービングを行う無線基地局ｅＮＢがあるため、深夜の時間帯について重点的に最適化を行いたいといった要求にも対応可能になる。
【０１２１】
なお、上述した各実施形態について、１日当たりのセル切り替え回数とは、１日当たりのセル切り替え回数を複数日に亘り集計し、複数日での平均値としてもよい。
【０１２２】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【０１２３】
ＨＬＲ…ホーム・ロケーション・レジスタ、ＭＭＥ…移動管理装置、ＯＡＭ…保守監視装置、Ｓ−ＧＷ…ゲートウェイ装置、ｅＮＢ…無線基地局、１…移動通信システム、１０１…アンテナ、１１０…無線通信部、１２０…ネットワーク通信部、１３０…記憶部、１４０…制御部、１４１…移動頻度情報取得部、１４２…ＭＤＴ使用端末決定部、１４３…ＭＤＴ制御部、２０１…アンテナ、２１０…無線通信部、２２０…ユーザインターフェイス部、２３０…ＧＰＳ受信機、２４０…バッテリ、２５０…記憶部、２６０…制御部、２６１…移動状態管理部、２６２…情報生成部、２６３…ＭＤＴ処理部、３１０…ネットワーク通信部、３２０…記憶部、３３０…制御部、３３１…移動頻度情報取得部、３３２…ＭＤＴ使用端末決定部、３３３…ＭＤＴ制御部
【図１】
2012070271.tif 000003
【図２】
2012070271.tif 000004
【図３】
2012070271.tif 000005
【図４】
2012070271.tif 000006
【図５】
2012070271.tif 000007
【図６】
2012070271.tif 000008
【図７】
2012070271.tif 000009
【図８】
2012070271.tif 000010
【図９】
2012070271.tif 000011
【図１０】
2012070271.tif 000012
【図１１】
2012070271.tif 000013